Podtech/llm-jp-corpus-v4-ja_patent huggingface dataset:
(57)【要約】      （修正有）【課題】透過性とプリントインクの厚みのあるくっきりとした発色を確保できるランプシェード・行燈用二層フィルムシートを提供する。【解決手段】透過性のある紙シート１と透明プラスチックシートないしは透過性のある紙シート２に同じ画像を印刷して、二つのシートを接着剤３で貼り合わせる。【選択図】図１
0003200615.tif 000002
【実用新案登録請求の範囲】
【請求項１】
透過性のある紙と透明プラスチックないしは透過性のある紙のおのおのに同デザインを印刷して二つのシートを貼り合わせる二層フィルムシート。二層シートの表面は透過性のある紙に印刷したシート（１）、裏面は透明プラスチックシートないしは透過性のある紙に印刷したシート（２）を貼り合わせ，二枚のシートを接着剤（３）で接着合成。紙と透明プラスチックシートないしは紙の印刷画面は同デザインとする。
【考案の詳細な説明】
【技術分野】
【０００１】この考案は、行燈・ランプシェード用二層フィルムシート関するものである。
【背景技術】
【０００２】行燈・ランプシェードのフィルムとして紙やプラスチックシート一枚に印刷して使われている。
和紙を塩ビシートでラミネートして印刷したランプシェード照明器具がある。
【考案の概要】
【考案が解決しようとする課題】
【０００３】紙やプラスチックシート一枚に印刷したフィルムを使った行燈・ランプシェードに灯りを通すと印刷の色が薄くぼやける。
【課題を解決するための手段】
【０００４】透過性のある紙と透明プラスチックないしは透過性のある紙のおのおのに同デザインを印刷して二つのシートを貼り合わせ二層フィルムシートを作る。
【考案の効果】
【０００５】透過性とプリントインクの厚みのあるくっきりとした発色を確保できる。
【図面の簡単な説明】
【０００６】
【図１】本考案の断面図である。
【考案を実施するための形態】
【０００７】以下、本考案を実施するための形態について説明する。
二層シートの表面は透過性のある紙に印刷したシート（１）、裏面は透明ポリエステル・透明Ｒ−ＰＥＴのＯＨＰフィルム・透明塩ビシートなどの透明プラスチックシートないしは透過性のある紙に印刷したシート（２）を使い、二つのシートの貼り合わせはイソヘキサン接着剤（３）で接着合成。
紙と透明プラスチックシートないしは紙の印刷画面は同デザインを使用。
本考案は、以上のような構造である。
【符号の説明】
【０００８】１  紙に印刷したシート
２  透明プラスチックシートないしは紙に印刷したシート
３  接着剤
【図１】
0003200615.tif 000003
【手続補正書】
【提出日】平成27年7月30日(2015.7.30)
【手続補正１】
【補正対象書類名】実用新案登録請求の範囲
【補正対象項目名】全文
【補正方法】変更
【補正の内容】
【実用新案登録請求の範囲】
【請求項１】
透過性のある紙シート（１）と透明プラスチックシートないしは透過性のある紙シート（２）に同画像を印刷して、二つのシートを接着剤（３）で貼り合わせした二層フィルムシート。
【手続補正２】
【補正対象書類名】明細書
【補正対象項目名】全文
【補正方法】変更
【補正の内容】
【考案の詳細な説明】
【技術分野】
【０００１】この考案は、二層フィルムシート関するものである。
【背景技術】
【０００２】行燈・ランプシェードのフィルムとして紙やプラスチックシート一枚に印刷して使われている。
【考案の概要】
【考案が解決しようとする課題】
【０００３】紙やプラスチックシート一枚に印刷したフィルムを使った行燈・ランプシェードに灯りを通すと印刷の色が薄くぼやける。
【課題を解決するための手段】
【０００４】透過性のある紙シートと透明プラスチックシートないしは透過性のある紙シートに同画像を印刷して、二つのシートを貼り合わせて二層フィルムシートを作る。
【考案の効果】
【０００５】透過性とプリントインクの厚みのあるくっきりとした発色を確保できる。
【図面の簡単な説明】
【０００６】
【図１】  本考案の断面図である。
【考案を実施するための形態】
【０００７】以下、本考案を実施するための形態について説明する。
二層フィルムシートの表面シートは透過性のある紙に印刷したシート（１）、裏面シートは透明ポリエステル・透明Ｒ‐ＰＥＴのＯＨＰフィルム・透明塩ビシートなど透明プラスチックシートに印刷したシートないしは透過性のある紙に印刷したシート（２）を使い、二つのシートの貼り合わせは接着剤（３）で接着合成、（１）（２）両シートの印刷は同画像を使用。
本考案は、以上のような構造である。
【符号の説明】
【０００８】１  紙に印刷したシート
２  透明プラスチックシートないしは紙に印刷したシートに印刷したシート
３  接着剤
(57)【要約】【課題】包装用とし、或いは手帳や文房具などにデコレーション用として使用される装飾用粘着テープにおいて、新規な装飾機能を備えたものを提供する。【解決手段】プラスチックフィルム製の基材の裏面に粘着層を形成したテープ本体２を、所定の芯管１にロール巻きした粘着テープにおいて、前記テープ本体２を、抜き孔２２を有する所望の模様形状を形成してなり、前記の文房具などの貼布対象物に貼着すると、当該対象物の表面がテープ本体２の抜き孔から露出することになり、従前の一定幅の帯状テープには発揮できない装飾性を備える。【選択図】図１
0003200666.tif 000002
【実用新案登録請求の範囲】
【請求項１】
プラスチックフィルム製の基材の裏面に粘着層を形成したテープ本体を、所定の芯管にロール巻きした粘着テープにおいて、前記テープ本体を、抜き孔部分を有する所望の模様形状に形成してなることを特徴とする装飾用粘着テープ。
【請求項２】
模様形状を、所定間隔毎に細幅部分が形成される連続模様としてなる請求項１記載の装飾用粘着テープ。
【請求項３】
表示された模様に対応して一定間隔で、テープ本体側縁に切断用微小切込を設けてなる請求項１記載の装飾用粘着テープ。
【考案の詳細な説明】
【技術分野】
【０００１】
本考案は、包装用や手帳、文房具などにデコレーション用として使用される装飾用粘着テープに関するものである。
【背景技術】
【０００２】
装飾用粘着テープとして、特許文献１（実開平５−１２１９８号公報）には、従来技術の説明にメタリック印刷を施したテープ基材の裏面に粘着層を設けたものが開示され、当該考案として透明基材の裏面に光反射細片を混入した透明粘着層を設けたものが開示されている。
【０００３】
また特許文献２（特開２０１５−１１３４２８号公報）には、装飾柄を施した透明又は半透明のテープ基材の裏面に粘着剤層を設けたテープで、テープ基材が和紙であるものが開示されている。
【先行技術文献】
【特許文献】
【０００４】
【特許文献１】実開平５−１２１９８号公報。
【特許文献２】特開２０１５−１１３４２８号公報。
【考案の概要】
【考案が解決しようとする課題】
【０００５】
特許文献１及び２に開示されている従前の装飾用粘着テープは、長尺帯状でテープ基材の表面或いは透明テープ基材の裏面に模様形成を行っているものであり、装飾手段は表面から視認できる印刷模様等に限定されている。そこで本考案は、更なる装飾性を高めるために、型抜き模様を備えた装飾用粘着テープを提案したものである。
【課題を解決するための手段】
【０００６】
本考案の請求項１記載に係る装飾用粘着テープは、プラスチックフィルム製の基材の裏面に粘着層を形成したテープ本体を、所定の芯管にロール巻きした粘着テープにおいて、前記テープ本体を、抜き孔部分を有する所望の模様形状を形成してなることを特徴とするものである。
【０００７】
而して上記テープは抜き孔を有する模様形状となり、貼布対象物に貼着すると、当該対象物の表面がテープ本体の抜き孔から露出することになり、従前の一定幅の帯状テープには発揮できない装飾性を備える。
【０００８】
また本考案の請求項２記載に係る装飾用粘着テープは、特に模様形状を、所定間隔毎に細幅部分が形成される連続模様としてなるもので、プラスチック製の基材を採用したテープは、抜き孔を設けても十分な強度が保たれる一方、手で引きちぎることは困難であるが、細幅部分を設けることで、手による切断が可能となる。
【０００９】
また本考案の請求項３記載に係る装飾用粘着テープは、表示された模様に対応して一定間隔で、テープ本体側縁に切断用微小切込を設けてなるもので、前記の請求項２記載の装飾用粘着テープと同様に、切込を設けたことで、手による切断が可能となる。
【考案の効果】
【００１０】
本考案の構成は上記のとおりで、抜き孔を有する模様を備えた装飾用粘着テープで、文房具などの部材をデコレーションするために貼布すると、従前の装飾テープでは発揮する事ができない、当該抜き孔による装飾効果を奏するものである。
【図面の簡単な説明】
【００１１】
【図１】本考案の第一実施形態の全体斜視図。
【図２】同第二実施形態の全体斜視図。
【図３】同模様形状の平面図。
【考案を実施するための形態】
【００１２】
次に本考案の実施形態について説明する。図１は本考案の第一実施形態で、芯管１にテープ本体２をロール巻きしてなるものである。
【００１３】
テープ本体２は従前の粘着テープと同様に、プラスチックフィルム製の基材の裏面に粘着層を形成して、芯管１にロール巻きしたものである。
【００１４】
特にテープ本体２は、表面に模様表示（印刷表示）２１を行うと共に、模様形状に合わせて型抜きを行ってなるもので、抜き孔２２が形成されるようにしたものである。また前記模様形状は、連続模様形状にすると共に、手での切断（ちぎり）が可能な細幅部２３を形成してなるものである。
【００１５】
而して従前の装飾用粘着テープと同様に、包装用として使用したり、手帳や文房具等のデコレーション用として使用されるもので、貼布対象物に貼着する際には、鋏で所定長さに切断して使用する他、細幅部２３の箇所を手で千切って使用するものであり、貼着したテープ本体２の模様表示２１で貼布対象物に装飾が施されると共に、当該対象物の表面がテープ本体２の抜き孔２２から臨み見えることになり、従前には無い新規な装飾性が付与されるものである。
【００１６】
また図２は本考案の第二実施形態を示すもので、第一実施形態と同様に芯管１にテープ本体２ａをロール巻きしてなるもので、テープ本体２ａは、表面に梯子様の模様（印刷による模様表示２１ａ）及び抜き孔２２ａを形成した型抜き形状であり、特にテープ本体２ａの側縁に切断用の微小切込２４を設けてなるものである。
【００１７】
しかして上記テープも第一実施形態のテープと同様に使用する事ができるものであり、微小切込２４を設けたことで、手による切断も可能となる。
【００１８】
尚本考案は前記した実施形態に限定されるものでは無く、抜き孔を備える物であれば、模様表示並びに模様形状は任意であり、例えば図３のテープ本体２ｂに示すように、並列な円形抜き孔２２ｂと共にダイヤ型抜き孔２２ｃを形成すると共に、テープ本体２ｂの側縁も波形形状にするように全く任意に定めることができるものである。
【符号の説明】
【００１９】
１      芯管
２，２ａ，２ｂ  テープ本体
２１，２１ａ    模様表示（印刷表示）
２２，２２ａ，２２ｂ，２２ｃ  抜き孔
２３    細幅部
２４    微小切込
【図１】
0003200666.tif 000003
【図２】
0003200666.tif 000004
【図３】
0003200666.tif 000005
(57)【要約】      （修正有）【課題】洋式トイレでの採便処理の煩わしさを解消し、容易に採便できる安価な採便シートを提供する。【解決手段】帯状の水溶紙で構成され、本体中央部には大便を採取する袋状の採便部５を有しており、帯状本体１の長手方向に位置する両端部には、洋式トイレの側面に張設するための水溶性粘着両面テープ８を有する。すべてが水溶性のため使用後は水洗トイレに流せる。【選択図】図４
0003200606.tif 000002
【実用新案登録請求の範囲】
【請求項１】
帯状の水溶紙で構成され、本体中央部には大便を採取する袋状を有しており、前記帯状本体の長手方向に位置する両端部には、洋式トイレに張設するための水溶性粘着両面テープを有することを特徴とする採便用シート。
【考案の詳細な説明】
【技術分野】
【０００１】
本考案は、洋式トイレにおける検便時の採便用シートに関するものである。
【背景技術】
【０００２】
従来は洋式トイレで検便のための採便をする場合、通常とは逆向きに座るとか便器内に大量のトイレットペーパーを投げ込んでから大便を落とし、そこから採便していた。また、便器内にセットする採便具などが考案されているが製造コストが高価であったり、必要量の大便が確保できなかったり、繰り返し使用する採便具の場合は非衛生的になるなどの問題が残っていた。
【先行技術文献】
【特許文献】
【０００３】
【特許文献１】特開平09-061423
【考案の概要】
【考案が解決しようとする課題】
【０００４】
従来のように採便処理が煩わしくなく、安価で、容易に必要量の大便を衛生的に確保できる採便用シートを提供するものである。
【課題を解決するための手段】
【０００５】
本考案の採便用シートは、上記目的を達成するために水洗トイレに流すことができる水溶紙でできており、帯状の本体から構成され、中央部に大便を採取する袋状を採便部とし、前記帯状本体の長手方向に位置する両端部に洋式トイレの側面に張設するための水溶性粘着両面テープを構成した使い捨て使用を特徴とした構造である。
【考案の効果】
【０００６】
本考案の採便用シートは、上記のように中央部に袋状の採便部を有しているため確実に大便を採取できる。また、本考案の採便用シートは、大便を採取する袋状の採便部も水溶紙でできているため検便キットの便採取用スティックや耳かき型スプーンを採便部表面から突き刺すことで容易に採便行為をおこなうことができる。また、本考案の採便用シートは水溶紙で構成された一体型のため製造コストも安価で、そのまま水洗トイレに流すことができるので衛生上にも大変役立つ。
【図面の簡単な説明】
【０００７】
【図１】本考案の採便用シートの斜視図である。
【図２】本考案の採便用シートを洋式トイレに取り付けた状態を示す斜視図である。
【図３】図2のA-A線断面図である。
【図４】図2の洋式トイレ部分を省略した図面である。
【考案を実施するための形態】
【０００８】
以下、添付図面に従って形態を説明する。本考案の採便用シート（1）は帯状の水溶紙一枚を（2）の部位で二つ折り、（3）の部位で四つ折りにして（4）部分を採便用シート本体（1）に接着して採便部（5）を形成している。使用する際は（6）の部位を二箇所谷折りして採便部（5）を袋状に成形し（7）の部位を山折りにして洋式トイレの側面に水溶性の粘着両面テープ（8）で張設する。
【実施例】
【０００９】
以下、添付図面に従って実施例を説明する。洋式トイレの蓋及び便座を上げた状態で本考案の採便用シート（1）の（6）部分を二箇所谷折りして採便部（5）を大便が確実に採取できるように袋状に成形し、（7）部分を山折りにして洋式トイレの側面に水溶性の粘着両面テープ（8）で採便部（5）が洋式トイレの水溜り上部に接触しないように張設して、便座をおろし通常の形態で使用する。採便部（5）に確保された大便を直接上から採便しても良いが粘着両面テープ（8）を洋式トイレの側面から剥離後採便部（5）の表面から検便キットの便採取用スティックや耳かき型スプーンを突き刺して採便する方法もある。採便用シート（1）は粘着両面テープ（8）を含めて水溶性で構成されているため使用後は水洗トイレに流すことができるので衛生上にも大変役立つ。
【符号の説明】
【００１０】
(1) 本考案の採便用シート本体
(2) 二つ折り部
(3) 四つ折り部
(4) 接着部
(5) 採便部
(6) 谷折り部
(7) 山折り部
(8) 水溶性粘着両面テープ
【図１】
0003200606.tif 000003
【図２】
0003200606.tif 000004
【図３】
0003200606.tif 000005
【図４】
0003200606.tif 000006
(57)【要約】      （修正有）【課題】在宅酸素療法患者が酸素を吸入した状態で外出する際に使用する酸素ボンベ運搬用のカートであり、階段の昇りが容易なカートを提供する。【解決手段】酸素ボンベ運搬用カートに三輪キャスターを装着する。階段を昇る際に３つのタイヤが回転しながら段差を超えていくためカートを持ち上げることなく階段を昇ることが可能となる。【選択図】図１
0003199396.tif 000002
【実用新案登録請求の範囲】
【請求項１】
在宅酸素療法患者が酸素を吸入した状態で外出する際に酸素ボンベを運ぶためのカートであって、三輪キャスターを装着したもの。
【考案の詳細な説明】
【技術分野】
【０００１】
本考案は在宅酸素療法患者の階段の昇りが容易なカートに関するものである。
【背景技術】
【０００２】
在宅酸素療法患者が酸素を吸入しながら移動するためには酸素ボンベを持ち運ばなければならない。一般的に在宅酸素療法患者が使用する酸素ボンベ運搬用のカートは両側一輪のタイプのものであり平坦な道を持ち運ぶだけならば実用上十分である。
【考案の概要】
【考案が解決しようとする課題】
【０００３】
両側一輪タイプのカートであれば階段を昇る際はカートを持ち上げて運ばなければならない。在宅酸素療法とは体の中に酸素を十分に取り込めない患者に対する治療法であり、対象者の肉体的負担の軽減が強く求められる。
【０００４】
在宅酸素療法患者が酸素を吸入したまま階段を昇る際に階段に沿って引いたまま持ち上げずに容易に運搬可能な酸素ボンベ運搬用カートを提供する。
【課題を解決するための手段】
【０００５】
カートの両側に三輪キャスターを装着することにより階段を昇る際に３つのタイヤが回転しながら段差を超えていく。
【考案の効果】
【０００６】
カートを持ち上げることを要せずに昇ることが可能となる。
【図面の簡単な説明】
【０００７】
【図１】図１は本考案の実施例に係るカートの斜視図である。
【図２】図２は本考案に係るカートの正面図である。
【図３】図３は本考案に係るカートの側面図である。
【図４】図４は本考案に係るカートの上面図である。
【図５】図５は本考案に係るカートを引くイメージ図である。
【考案を実施するための形態】
【０００８】
在宅酸素療法患者の外出時の肉体的負担を軽減するという目的を最小の部品点数でさほど重量を変えずに実現した。
【図１】
0003199396.tif 000003
【図２】
0003199396.tif 000004
【図３】
0003199396.tif 000005
【図４】
0003199396.tif 000006
【図５】
0003199396.tif 000007
(57)【要約】      （修正有）【課題】小型で、携帯に便利であり、水筒の高さと太さに応じて調節でき、水筒底を支えながら水筒を締めるため、激しく振っても脱落せず、安全で実用的な水筒固定肩掛けベルトを提供する。【解決手段】肩掛けベルト１、その下部に設置する水筒固定ベルト２、水筒固定ベルトの片側は肩掛けベルトに固定され、向こう側には調節リング３が設置され、肩掛けベルトの一部は調節リングを突き抜け、摺動により肩掛けベルトの水筒固定ベルトに対する位置を調節できると共に、長さ調節部４により肩掛けベルトの長さが調節可能となっている。【選択図】図１
0003199400.tif 000002
【実用新案登録請求の範囲】
【請求項１】
肩掛けベルトと、肩掛けベルと交差して水筒固定ベルトが設置してあり、水筒固定ベルトの片側は肩掛けベルトに固定され、向こう側の水筒固定ベルトには調節リングが設置してあり、肩掛けベルトの一部が調節リングに対して摺動することにより、肩掛けベルトの水筒固定ベルトに対する位置が調節可能な片掛けタイプであることを特徴とするポータブルタイプの水筒固定肩掛けベルト。
【請求項２】
水筒固定ベルトはゴム紐或いはズックで作られるものであることを特徴とする請求項１のポータブルタイプの水筒固定肩掛けベルト。
【請求項３】
肩掛けベルトはゴム紐或いはズックで作られるものであることを特徴とする請求項１のポータブルタイプの水筒固定肩掛けベルト。
【請求項４】
肩掛けベルトと、肩掛けベルと交差して水筒固定ベルトが設置してあり、水筒固定ベルトの両側に調節リングが設置してあり、肩掛けベルトの一部が調節リングに対して摺動することにより、肩掛けベルトの水筒固定ベルトに対する位置が調節可能な片掛けタイプであることを特徴とするポータブルタイプの水筒固定肩掛けベルト。
【考案の詳細な説明】
【技術分野】
【０００１】
本実用新案は固定ベルト技術分野に属し、具体的にはポータブルタイプの水筒固定肩掛けベルト分野に属する。
【背景技術】
【０００２】
日常生活には、水筒或いはペットボトルを携帯する時が多い。特に運動量が多い時水分補充は人体の健康にとっては非常に重要だが、市販の水筒或いはボトルは水筒両側の孔を利用して細い紐で固定していて、このような孔は老化で断裂しやすい。ほかに、蓋に紐を結ぶタイプがあるが、運動或いは歩くときに揺れて蓋が緩んで水筒が落ちたりすることなどが課題となっている。
【考案の概要】
【考案が解決しようとする課題】
【０００３】
既存技術においての不足に対して、本実用新案の目的は、合理的な構造を持ちながら、利用に便利なポータブルタイプ水筒固定肩掛けベルトを提供し、前記の課題を解決するのを目的とする。
【課題を解決するための手段】
【０００４】
本実用新案において採用された技術方案は以下となる。
【０００５】
ポータブルタイプの水筒固定肩掛けベルトに関するものである。前記の肩掛けベルトは、肩掛けベルト、その下部に設置する水筒固定ベルト、水筒固定ベルトの片側は肩掛けベルトに固定していて、向こう側は調節リングが設置してあり、肩掛けベルトの一部は調節リングを突き抜け、肩掛けベルトは長さ調節可能な片掛けタイプのベルトである。
【０００６】
特徴として、前記水筒固定ベルトはゴム紐或いはズックで作られるものである。
【０００７】
特徴として、前記肩掛けベルトはゴム紐或いはズックで作られるものである。
【０００８】
特徴として、前記水筒固定ベルト両側には調節リングが設置してある。
【図面の簡単な説明】
【０００９】
【図１】本実用新案のポータブルタイプ水筒固定肩掛けベルトの構造図である。
【図２】本実用新案のポータブルタイプ水筒固定肩掛けベルトの調節リング構造図である。
【考案を実施するための形態】
【００１０】
以下では具体的な実施の形態で本実用新案を詳しく説明する。
【００１１】
本実用新案はポータブルタイプの水筒固定肩掛けベルトであり、図１、２のように、肩掛けベルト１、肩掛けベルト１と直交して交差する水筒固定ベルト２を備え、水筒固定ベルト２の片側は肩掛けベルト１の内側面（外側面でもよい）に固定されていて、向こう側には内側面（外側面でもよい）に調節リング３が設置してあり、肩掛けベルト１の一部は調節リング３を貫通し、調節リング３に対して摺動することにより、肩掛けベルト１と調整リング３との相対位置が調整可能である。また、肩掛けベルト１は長さ調整部４を備え、その長さが調節可能な片掛けベルトである。ここでは、長さ調整部４は調整リング３の上部にあるが位置は限定されず、適宜の場所に設置が可能である。肩掛けベルト１の幅は均一でも不均一でもどちらでもよい。
【００１２】
水筒固定ベルト２はゴム紐或いはズックで作られるものである。
【００１３】
肩掛けベルト１はゴム紐或いはズックで作られるものである。
【００１４】
また、水筒固定ベルト２の内側面の両側に１対の調節リング３を設置してもよい。この場合、１対の調節リング３は向かい合うように設置することが好ましい。水筒固定ベルト２の外側面に調節リング３を設けることができる。調節リング３は水筒固定ベルト２の外側面に設置してもよい。調整リング３は、肩掛けベルト１が通過可能な大きさの孔を有し、また、その高さと幅は肩掛けベルト１より小さく設定される。
【００１５】
本実施形態の水筒固定肩掛けベルトによれば、水筒或いはボトルを水筒固定ベルト２と肩掛けベルト１下部内に固定でき、水筒の収容空間の大小を調節でき、どんな水筒、ボトル、或いは哺乳瓶にも対応でき、利用便利で小型で、携帯に便利である。水筒の高さと太さに応じて調節できる。肩掛けベルト１と水筒固定ベルト２が丈夫で、水筒底を支えながら水筒をしっかり締めるため、激しく振っても水筒は脱落せず、安全で実用的である。
【００１６】
前記実施形態は本実用新案の実施例として、好適な例を上げたが、それ以外にも種々なる実施態様が実施可能であり、前記の本実用新案の実用新案登録請求の範囲に立脚し、同じ効果を持ちながら、実施形態の変化と修飾は本実用新案の実用新案登録請求の範囲内に所属するものとする。
【符号の説明】
【００１７】
１  肩掛けベルト
２  水筒固定ベルト
３  調節リング
４  長さ調節部
【図１】
0003199400.tif 000003
【図２】
0003199400.tif 000004
(57)【要約】【課題】肌に触れる可能性のある部分についてこれを非金属素材からなるものとし、金属アレルギー体質の人が生じしてもそのアレルギー症状を発症しないようにした装身具を提供する。【解決手段】非金属素材からなる装飾体２の両端部それぞれに合成樹脂製連結環４を介して紐状体３を取り付け、この紐状体３同志を合成樹脂製留め具５を介して連結した。【選択図】図１
0003199395.tif 000002
【実用新案登録請求の範囲】
【請求項１】
非金属素材からなる装飾体の両端部それぞれに合成樹脂製連結環を介して非金属素材からなる柔軟な紐状体が連結され、前記紐状体同士が合成樹脂製留め具を介して連結されていることを特徴とする装身具。
【考案の詳細な説明】
【技術分野】
【０００１】
本考案は装身具、特に金属アレルギーの症状を使用者に発症させないようにした装身具に関するものである。
【背景技術】
【０００２】
従来から金属アレルギーの症状を発症する体質の人向けの首飾りとしては、首回りの肌に接する部分を細幅のリボンや紐などの非金属素材からなる柔軟な紐状体とするとともに、飾りの主体である装飾体も肌に触れる場合もあることからこの装飾体も非金属素材から作製されていて、装飾体の両端部に配置されている連結環それぞれに前記紐状体の端部を止め付けて装飾体と前記紐状体を連結し、また紐状体それぞれを首後ろに回して両者を結んで装飾体が胸元などに位置するようにしている。（例えば非特許文献１参照）
【先行技術文献】
【非特許文献】
【０００３】
【非特許文献１】インターネット＜ＵＲＬ：ｈｔｔｐ：／／ｊｏｓｅｉ−ｂｉｇａｋｕ．ｊｐ／ｄｉｙ−ｊｏｓｉｂｕ／ｋｉｈｏｎｎｏｎｅｋｋｕｒｅｓｕ５１３４２／＞
【考案の概要】
【考案が解決しようとする課題】
【０００４】
しかしながら上記従来の首飾りにおいては、装飾体と紐状体との間の連結環が金属部材からなるものであるため、使用時にこの連結環の部分が肌に触れることで金属アレルギーの症状が現れる可能性があった。
【０００５】
そこで本考案は上記事情に鑑み、肌に触れる可能性のある部分についてこれを非金属素材からなるものとすることを課題とし、金属アレルギー体質の人が生じしてもそのアレルギー症状を発症しないようにした装身具を提供することを目的とするものである。
【課題を解決するための手段】
【０００６】
本考案は上記課題を考慮してなされたもので、非金属素材からなる装飾体の両端部それぞれに合成樹脂製連結環を介して非金属素材からなる柔軟な紐状体が連結され、前記紐状体同士が合成樹脂製留め具を介して連結されていることを特徴とする装身具を提供して、上記課題を解消するものである。
【考案の効果】
【０００７】
本考案によれば、装飾体が非金属素材からなるものであり、また紐状体についても非金属素材である。そしてこの両者を繋ぐ連結環、及び紐状体同士を結ぶ留め具の部分についても合成樹脂製からなるものとしているので、使用に際して金属アレルギーの症状を発症することを防止することができる。
【図面の簡単な説明】
【０００８】
【図１】本考案に係る装身具の一例を示す説明図である。
【図２】他の例を示す説明図である。
【考案を実施するための形態】
【０００９】
つぎに本考案を図１と図２に示す実施の形態に基づいて詳細に説明する。図中１は首飾りの形態とした装身具で、図１に示すように前記装身具１は飾りの主体である装飾体２とこの装飾体２の両端部に連結されて首に掛け止めることができるようにした紐状体３とからなるものである。
【００１０】
上記紐状体３は非金属素材からなる柔軟なものであればよく、細幅リボンなどの布製帯状物、組紐や編紐などの紐、合成樹脂製のチェーンなどが採用できる。なお、実施の形態では一例として細幅の布製帯状物を図示しているが、紐状体が図示の形態に限定されるものではない。
【００１１】
図示した形態の装飾体２は複数個の珠に合成樹脂製の糸を通して数珠繋ぎ状に並べ、糸の端部それぞれに合成樹脂製の連結環４を止め付けていて、この連結環４が、珠の抜け落ちを防止するとともに珠それぞれの動きも規制するストッパーとしての役割を果たしている。そして、装飾体２の両端部の上記連結環４それぞれに上記紐状体３の端部を止め付けて、装飾体２と紐状体３とを前記連結環４を介して連結している。
【００１２】
また、一方の紐状体３は装飾体２側とは反対の端部に合成樹脂製留め具５が取り付けられていて、この合成樹脂製留め具５に他方の紐状体３が掛け止めできるように設けられている。前記合成樹脂製留め具５はフック部６を備え、このフック部６に他方の紐状体３における装飾体２側とは反対の端部を折り返して形成した輪部７を掛けることで、紐状体３同士がこの合成樹脂製留め具５を介して分離可能にして連結できるように設けられている。
【００１３】
上記実施の例にあっては一方の紐状体３にフック部を有する合成樹脂製留め具５を取り付けて、これに他方の紐状体３の輪部７を掛け止めるようにしたものを示したが、本考案はこの例に限定されるものではなく、合成樹脂製バックルをこの留め具として採用することも可能である。
【００１４】
図２は更に他の例を示していて、この図２に示すように、紐状体３それぞれの端部に互いの紐状体３を通す環状の合成樹脂製留め具５を取り付けて、それぞれの合成樹脂製留め具５を相手の紐状体３の長さ方向にスライド可能にして係止するスライダー形式の構成とし、紐状体３同士をこのスライダータイプの対の合成樹脂製留め具５を介して長さ調整可能に連結してもよいものである。
【００１５】
なお、上述した各実施の例は首飾りの形態を例示しているが、本考案の装身具は首飾りに限定されるものではない。例えば手首に付けるブレスレットの形態とすることも可能なものである。
【符号の説明】
【００１６】
１…装身具
２…装飾体
３…紐状体
４…合成樹脂製の連結環
５…合成樹脂製留め具
６…フック部
７…輪部
【図１】
0003199395.tif 000003
【図２】
0003199395.tif 000004
(57)【要約】      （修正有）【課題】使用済みの汚物回収袋のみを容易に抜き出すことを可能とする、複数枚の汚物回収袋が重ねられた袋集合体を提供する。【解決手段】袋集合体１は、汚物容器１００の内部に配置され上方に開口部１１を有し、この開口部１１から汚物が入れられる汚物回収袋１０が入れ子形状に複数枚重ねられ、各汚物回収袋１０の上端には、使用者に把持されるタグ１２が設けられ、複数枚の汚物回収袋１０に設けられた各タグ１２は、汚物回収袋１０の開口部１１の径方向において、お互いにずれた位置に配置されている。  【選択図】図１
0003199393.tif 000002
【実用新案登録請求の範囲】
【請求項１】
汚物容器の内部に配置され上方に開口部を有し、この開口部から汚物が入れられる汚物回収袋が入れ子形状に複数枚重ねられた袋集合体であって、各汚物回収袋の上端には、使用者に把持されるタグが設けられ、複数枚の汚物回収袋に設けられた各タグは、汚物回収袋の開口部の径方向において、互いにずれた位置に配置されている袋集合体。
【請求項２】
複数の汚物回収袋の上端は、外側に配置された汚物回収袋から内側に配置された汚物回収袋に向かって、段階的により上方に配置され、汚物容器の内部に配置されてから、内側から外側に向かって、折り曲げられる請求項１に記載の袋集合体。
【考案の詳細な説明】
【技術分野】
【０００１】
本発明は、汚物容器の内部に配置され、上方に開口部有し、この開口部から汚物が、入れられる汚物回収袋が、入れ子形状に複数枚重ねられた袋集合体に関する。
【背景技術】
【０００２】
従来では、汚物用袋が一杯に成ると、また汚物袋を探し、セッティングしなければいけない。そこで、特許文献１には、排泄物を入れる開口緑部と、内部に排泄物を収容する底部とを有して袋体に形成された袋を複数枚有し、当該複数枚の袋体のそれぞれの底部を互いに径方向に重なるよう配置して、それぞれの使用後に個別に分離可能に当該複数枚の袋を結合した袋集合体が提案されている。 
【先行技術文献】
【特許文献】
【０００３】
【特許文献１】特開２０１１−０８３５３８号公報
【考案の概要】
【考案が解決しようとする課題】
【０００４】
しかしながら、特許文献１の袋集合体は、重ねられた複数枚の袋のうち、使用した袋のみを分離するのが困難な場合があった。本考案は、複数枚の汚物回収袋が重ねられた袋集合体において、使用済みの汚物回収袋のみを容易に抜き出すことを可能とすることを目的とする。
【課題を解決するための手段】
【０００５】
汚物容器の内部に配置され上方に開口部を有し、この開口部から汚物が入れられる汚物回収袋が入れ子形状に複数枚重ねられた袋集合体であって、各汚物回収袋の上端には、使用者に把持されるタグが設けられ、複数枚の汚物回収袋に設けられた各タグは、汚物回収袋の開口部の径方向において、互いにずれた位置に配置されている袋集合体。
【０００６】
複数の汚物回収袋の上端は、外側に配置された汚物回収袋から内側に配置された汚物回収袋に向かって、段階的により上方に配置され、汚物容器の内側に配置されてから、内側から外側に向かって、折り曲げられる請求項１に記載の袋集合体。
【考案の効果】
【０００７】
これにより袋集合体で、例えば５枚の袋が重ね合って１枚の汚物回収袋として、汚物容器に内袋としてセッティングし、汚物が一杯になり回収する時目印のタグを持ち上げ汚物袋を引き上げ閉鎖して捨てると、同時に次ぎの使用袋が用意されるので作業負担が軽減する。
【０００８】
本考案によれば、複数枚の汚物回収袋が重ねられた袋集合体において、使用済みの汚物回収袋のみを、容易に抜き出すことが可能となる。
【図面の簡単な説明】
【０００９】
【図１】本発明の実施形態に係る袋集合体が適用された汚物容器を示す図である。
【図２】本発明の実施形態に係る袋集合体が適用された汚物容器を示す図である。
【図３】本発明の実施形態に係る袋集合体を示す図である。
【考案を実施するための形態】
【００１０】
袋集合体１は、汚物容器１００の内部に配置され上方に開口部１１を有し、この開口部１１から汚物が入れられる汚物回収袋１０が入れ子形状に複数枚重ねられ、各汚物回収袋１０の上端には、使用者に把持されるタグ１２が設けられ、複数枚の汚物回収袋１０に設けられた各タグ１２は、汚物回収袋１０の開口部１１の径方向において、互いにずれた位置に配置されている。
【００１１】
複数の汚物回収袋の上端は、外側に配置された汚物回収袋から内側に配置された汚物回収袋に向かって、段階的により上方に配置され汚物容器の内部に配置されてから、内側から外側に向かって、折り曲げられている。
【００１２】
本実施形態は、以下のようにすることで、次に記載する効果をもたらす。
イ・黒い色のポリエチレン袋の使用で中身が見えない。
ロ・トイレの汚物容器（箱）三角形、丸、四角形にも使用できる。
ハ・１回の汚物回収がスムーズにそして、同時に次回の袋を探さなくてもセッティングされて便利になる。
ニ・1枚1枚の袋に目印のタグが有り取りやすく、メッセージを示すことで、ほっと心安らぐ。
ホ・５枚の袋集合体の為、１回の汚物容器（箱）にセッティングで、５回分の袋探しをしなくてすむ。
【符号の説明】
【００１３】
1  袋集合体  
１０  汚物回収袋
１１  開口部
１２  タグ
１００  汚物容器
【図１】
0003199393.tif 000003
【図２】
0003199393.tif 000004
【図３】
0003199393.tif 000005
(57)【要約】【課題】  木造建築物の屋根構造に使用される野地パネルに関し、建築作業を省力化できると共に、断熱・防湿効果、意匠性にも優れた野地パネルを提供する。【解決手段】  木造建築物の屋根構造に使用される野地パネルであって、野地板１と、板状部材２と、遮熱シート３と、垂木４と、断熱材５と、内装用化粧板６とから成り、該野地板１の一面に左右平行に配設した複数の該垂木４と、該垂木４間に取付け固定した該断熱材５とを有するとともに、該野地板１と該垂木４との間に該板状部材２を介設し、該板状部材２と該垂木４との間に介在して該遮熱シート３を渡設し、該遮熱シート３の表裏両側に、該垂木４に沿って連通する通気空間を設け、該断熱材５を被覆するように該内装用化粧板６を取付け固定して、これらを一体に形成したことを特徴とする野地パネル。【選択図】図４
0003199350.tif 000002
【実用新案登録請求の範囲】
【請求項１】
木造建築物の屋根構造に使用される野地パネルであって、野地板と、板状部材と、遮熱シートと、垂木と、断熱材と、内装用化粧板とから成り、該野地板の一面に左右平行に配設した複数の該垂木と、該垂木間に取付け固定した該断熱材とを有するとともに、該野地板と該垂木との間に該板状部材を介設し、該板状部材と該垂木との間に介在して該遮熱シートを渡設し、該遮熱シートの表裏両側に、該垂木に沿って連通する通気空間を設け、該断熱材を被覆するように該内装用化粧板を取付け固定して、これらを一体に形成したことを特徴とする野地パネル。
【考案の詳細な説明】
【技術分野】
【０００１】  本考案は、木造建築物の屋根構造に使用される野地パネルに関する。
【背景技術】
【０００２】  従来より、建物の建築構造を向上させるために様々な提案がなされている。作業効率を目的とした野地パネルもその一つで、工事期間の短縮などに効果を上げている。【０００３】屋根構造を支持可能な野地パネルの多くは建築用合板であって、屋根組の垂木上に設置し固定する方法が一般的である。
【考案の開示】
【考案が解決しようとする課題】
【０００４】  しかしながら、屋根下地としての遮熱や断熱、通気性を満たすためには高度な技術や経験、設備を要するため、技術の低い者や未経験者がこれらを施工した際、期待する性能を発揮できなかったり不具合が生じるなどの問題点を有していた。【０００５】本考案は、上記従来有する問題点に鑑み、木造建築物の屋根構造に使用される野地パネルに関し、建築作業を省力化できると共に、断熱・防湿効果、意匠性にも優れた野地パネルを提供しようとするものである。【０００６】詳しくは、洋風小屋組の屋根構造に適した野地パネルであって、建築作業を省力化できると共に、断熱・防湿効果、意匠性にも優れた野地パネルを提供しようとするものである。
【課題を解決するための手段】
【０００７】  木造建築物の屋根構造に使用される野地パネルであって、野地板１と、板状部材２と、遮熱シート３と、垂木４と、断熱材５と、内装用化粧板６とから成り、該野地板１の一面に左右平行に配設した複数の該垂木４と、該垂木４間に取付け固定した該断熱材５とを有するとともに、該野地板１と該垂木４との間に該板状部材２を介設し、該板状部材２と該垂木４との間に介在して該遮熱シート３を渡設し、該遮熱シート３の表裏両側に、該垂木４に沿って連通する通気空間を設け、該断熱材５を被覆するように該内装用化粧板６を取付け固定して、これらを一体に形成したことを特徴とする野地パネルとし、現場で建物の屋根組に設置するだけで容易に施工でき、遮熱・断熱・防湿施工及び屋内側の天井材取付け作業も兼ねる野地パネルとした。
【考案の効果】
【０００８】  本考案によれば、施工現場に於いて正確な取り付け作業等が容易であり、かつ、工事期間の短縮や端材の軽減、効果的な保温・断熱効果が期待できる。【０００９】また、本考案の野地パネルは垂木と一体に形成されていることから、従来屋根構造の垂木設置作業を省略することも可能である。【００１０】製品仕様によっては、本考案の野地パネルの構造の一部である遮熱シートの設置を省略することも可能である。
【考案を実施するための最良の形態】
【００１１】  以下、本考案の実施の形態について、図面を参照して説明する。
図１・図２・図３・図４に示すように、木造建築物の屋根構造に使用される野地パネルであって、野地板１と、板状部材２と、遮熱シート３と、垂木４と、断熱材５と、内装用化粧板６とから成り、該野地板１の一面に左右平行に配設した複数の該垂木４と、該垂木４間に取付け固定した該断熱材５とを有するとともに、該野地板１と該垂木４との間に該板状部材２を介設し、該板状部材２と該垂木４との間に介在して該遮熱シート３を渡設し、該遮熱シート３の表裏両側に、該垂木４に沿って連通する通気空間を設け、該断熱材５を被覆するように該内装用化粧板６を取付け固定して、これらを一体に形成したことを特徴とする野地パネルとし、現場で建物の屋根組に設置するだけで容易に施工でき、屋内側の天井材取付け作業も同時完了できるようにした。
【図面の簡単な説明】
【００１２】
【図１】本考案に於ける野地パネルの分解図である。
【図２】本考案に於ける野地パネルの正面図である。
【図３】本考案に於ける野地パネルの背面図である。
【図４】図２のＡ−Ｂ矢視断面図である。
【符号の説明】
【００１３】１    野地板
２    板状部材
３    遮熱シート
４    垂木
５    断熱材
６    内装用化粧板
【図１】
0003199350.tif 000003
【図２】
0003199350.tif 000004
【図３】
0003199350.tif 000005
【図４】
0003199350.tif 000006
(57)【要約】      （修正有）【課題】東日本大震災にかんがみ、この様な大災害からも生命身体等を守り生還することを目的とする。地震、津波、台風、洪水、火災、山津波、雷、竜巻、等々の災害で行き場の無い不安を感じた時及び１分１秒を争う場合の緊急避難場所としての安全安心を提供する設備であり、およそ３昼夜以上の避難場所として長期避難も可能なものとし、また災害回避後救助されるまでの数日間においても生活可能な災害用緊急避難設備を提供する。【解決手段】災害用緊急避難設備として、住居の、全天候型取り合い通路１１及び災害用緊急避難カプセル１の組合せで構成された構造の災害用緊急避難設備を各階各戸の外部に設置して災害を回避する。災害用緊急避難カプセルにおいては、水密性能及び装甲性能を有する災害用緊急避難カプセルとし、水に浮くことにより津波時による災害から安全を確保する。【選択図】図５
0003199344.tif 000002
【実用新案登録請求の範囲】
【請求項１】
住居等、全天候型取り合い通路及び災害用緊急避難カプセルの組合せで構成された構造で、建物等の１階外部及び架台を用い２以上の階の外部において設置される災害用緊急避難設備。
【請求項２】
上記［請求項１］における災害用緊急避難カプセルの外部構造は、水密性能及び装甲性能を有し、転倒や落下を防ぐため、特殊金具で取り合い通路等に連結される。この特殊金具は津波来襲時には災害用緊急避難カプセルの浮力により自然に連結がはずれ、災害用緊急避難カプセルが離脱浮遊することを特徴とする災害用緊急避難設備。
【考案の詳細な説明】
【技術分野】
【０００１】本考案は災害用緊急避難設備に関する。
【背景技術】
【０００２】現在出願されているものでは東日本大震災において実用性に欠しいので実際に普及出来る実用的な物とする。
【考案の概要】
【考案が解決しようとする課題】
【０００３】東日本大震災にかんがみ、この様なハードな緊急大災害にも耐え生還出来る構造を用いた設備とする。またできれば地震速報を見たり聴いたりした後地震が来るまでの数秒間においても避難できる構造とする。また生還した後救助が来るまでの使用にも耐えるものとする。
【課題を解決するための手段】
【０００４】図１ないし図７の通り。
【考案の効果】
【０００５】人類の存続に寄与する。
【図面の簡単な説明】
【０００６】
【図１】  災害用緊急避難カプセルの外観正面図である。
【図２】  災害用緊急避難カプセルの外観側面図である。
【図３】  災害用緊急避難設備の平面図及び住居との取り合い図である。
【図４】  災害用緊急避難設備の断面図及び住居１階との取り合い図である。
【図５】  災害用緊急避難設備の断面図及び住居２階以上との取り合い図である。
【図６】  災害用緊急避難設備の高層建物との取り合い図である。
【図７】  特殊金具の拡大図及び拡大斜視図である。
【考案を実施するための形態】
【０００７】なるべく早く、秒単位で乗り込める構造とする。クレーン等で移動が簡単である。また本設備の増設に当たっては、増設部分及び既存部分が建築基準に抵触しない様にする。
【実施例】
【０００８】図４は１階から使用する形態の概念図である。図５は２階以上から使用する形態の概念図である。図６は高層階に使用する形態の概念図である。
【符号の説明】
【０００９】１    水に浮き装甲性能を有する災害用緊急避難カプセル本体
２    耐水性能及び水密性能を有する換気、採光、脱出用透明窓
３    耐水性能及び水密性能を有するドア
４    耐水性能及び水密性能を有する換気、採光、脱出用透明サンルーフ
５    吊り上げ用フック掛け
６    曳航用フック掛け
７    シートベルト付き座席
８    備品棚
９    住居１階
１０  住居２階以上
１１  全天候型取り合い通路
１２  取り合い通路取付け用柱
１３  災害用緊急避難カプセルの転倒や落下を防ぐための（ステンレス製等錆付かない）特殊金具（両サイドに２箇所以上設置）
１４  架台
１５  ＵＰする大津波ライン
１６  大津波ラインＭＡＸ（３０ｍ以上）
１７  １階から自然に順次離脱浮遊する災害用緊急避難カプセル
１８  高層住宅等
１９  地振動による転倒防止用柱
２０  災害用緊急避難カプセル離脱用ガイド
２１  地振動による災害用緊急避難カプセル横滑り止めガイドアングル（４箇所）
２２  災害用緊急避難カプセルの浮力より小さい磁力の地振動縦揺れ緩衝用ゴム磁石シート
２３  点検作業用命綱フック掛け手摺
２４  既存部分
２５  増設部分
２６  図６における災害用緊急避難カプセル最良の形態
【図１】
0003199344.tif 000003
【図２】
0003199344.tif 000004
【図３】
0003199344.tif 000005
【図４】
0003199344.tif 000006
【図５】
0003199344.tif 000007
【図６】
0003199344.tif 000008
【図７】
0003199344.tif 000009
(57)【要約】      （修正有）【課題】口と鼻をおおうことができるだけでなく、また有効的に眼部を保護することができ、しかも手術する場合で、拡大鏡シートにて視野のはっきりさを高めることができ、患者の病気をもっとうまく検出することができる医薬用のマスクを提供する。【解決手段】透明保護シート１、および透明保護シート１の下に繋げるマスク２、および透明保護シート１の下の縁部に設けるスポンジ３、および透明保護シート１に設けた小さいトレー４で固定する拡大鏡５を含み、透明保護シート１とマスク２の両側はいずれもワイヤ６を備える。透明保護シート１は、硬質樹脂の薄いシートである。【選択図】図１
0003199348.tif 000002
【実用新案登録請求の範囲】
【請求項１】
医薬用のマスクにおいて、透明保護シート、および透明保護シートの下に繋げるマスク、および透明保護シートの下の縁部に設けるスポンジ、および透明保護シートに設けた小さいトレーで吸い上がり固定する拡大鏡を含み、前記の透明保護シートとマスクの両側はいずれもワイヤを備えることを特徴とする医薬用のマスク。
【請求項２】
請求項１に記載の医薬用のマスクにおいて、前記の透明保護シートが曲がるときに眼部と顔の外形枠を覆う機能を備えることを特徴とする医薬用のマスク。
【請求項３】
請求項１に記載の医薬用のマスクにおいて、前記の透明保護シートが硬質樹脂の薄いシートであることを特徴とする医薬用のマスク。
【考案の詳細な説明】
【技術分野】
【０００１】
この実用新型の一種の医薬用マスクにかかわる。
【背景技術】
【０００２】
医務かかりは作業するときにつけるマスクは口、鼻の以外の顔、眼部の粘膜がもっと病人に体液を移されるやすい。いまの保護用のメガネをつけるときに沢山の不便があり、鈍くて重いメガネはいつものメガネをかけない人に適用しなく、霧が生じることで視力を影響し、ただ眼部を覆うことができるが、顔を保護することができ、近視または老眼者はもっと適用しにくくなる。
【考案の概要】
【考案が解決しようとする課題】
【０００３】
この実用新型で解決したい技術問題は一種の眼部の霧防止、汚染防止を提供し、しかも、視野をもっとはっきりさせる医薬用マスクを提供することができる。
【課題を解決するための手段】
【０００４】
上記の技術案を解決するために、この実用新型は以下どおりの技術案を取る。一種の医薬用マスク、透明保護シート、および透明保護シートの下に繋げるマスクシート、および透明保護シートの下の縁部に備えるスポンジリブ、および透明保護シートにおく小さいトレーで吸い上がり固定する拡大鏡シートを含む、前記の透明保護シートとマスクの両側はいずれもワイヤを備える。
【０００５】
この実用新型の厳選した技術案として、前記の透明保護シートは曲げるときに眼部と顔を覆う外形枠である。
【０００６】
この実用新型で厳選した技術案として、前記の透明保護シートが硬質樹脂の薄いシートである。
【考案の効果】
【０００７】
この実用新型はいまの医薬用マスクにそなえる透明保護シートと拡大鏡シートを改善することで、口と鼻を覆うことができるだけでなく、また有効的に眼部を保護することができ、しかも手術を行う場合は、また拡大鏡シートにて視野のはっきりさを提供し、よりよく患者さんの病因を検出することができる。
【図面の簡単な説明】
【０００８】
【図１】この実用新型の構造表し図である。
【考案を実施するための形態】
【０００９】
図１のように、一種の医薬品マスクであり、透明保護シート、および透明保護シート１の下に繋げるマスク２、および透明保護シートの下の縁部に備えるスポンジ３、および透明保護シート１におく小さいトレー４で吸い上がり固定する拡大鏡５を含み、前記の透明保護シート１とマスクシート２の両側はいずれもワイヤ６を備える。
【００１０】
そのなか、前記の透明保護シート１に曲げる時に眼部と顔を覆う外形枠を備える、前記の透明保護シート１が硬質樹脂の薄いシートである。
【００１１】
この実用新型はいまの医薬用のマスクにある透明保護シートと拡大鏡シートを改善し、口と鼻をおおうことができるだけでなく、また有効的に眼部を保護することができ、しかも、手術を行う場合に、また拡大鏡シートにて視野のはっきりさを高め、よりうまく患者さんの病因を検出することができる。
【００１２】
以上のどおり、この実用新型の具体的な実施する方法だけであるが、この実用新型の保護範囲はそうでもなく、いずれの創造性のある労働を経たずに思い出した変化または交換は、この実用新型の保護範囲内に含む。従って、この実用新型の保護範囲はこの権利要求書に定められたどおりの保護範囲に準ずるべきである。
【符号の説明】
【００１３】
１  透明保護シート
２  マスク
３  スポンジ
４  トレー
５  拡大鏡シート
６  ワイヤ
【図１】
0003199348.tif 000003
【手続補正書】
【提出日】平成27年6月17日(2015.6.17)
【手続補正１】
【補正対象書類名】実用新案登録請求の範囲
【補正対象項目名】全文
【補正方法】変更
【補正の内容】
【実用新案登録請求の範囲】
【請求項１】
医薬用のマスクにおいて、透明保護シート、および透明保護シートの下に繋げるマスク、および透明保護シートの下の縁部に設けるスポンジ、および透明保護シートに設けた小さいトレーで固定する拡大鏡を含み、前記の透明保護シートとマスクの両側はいずれもワイヤを備えることを特徴とする医薬用のマスク。
【請求項２】
請求項１に記載の医薬用のマスクにおいて、前記の透明保護シートが硬質樹脂の薄いシートであることを特徴とする医薬用のマスク。